【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
ターゲット材料およびコア材料を用意し、
前記ターゲット材料を融除し、融除された粒子状ターゲット材料を形成し、および
前記融除された粒子状ターゲット材料で前記コア材料を被覆することを含んでなり、
約１０トル以上の圧力で行われてなる、コア材料を被覆する方法。
【請求項２】
前記融除が、約２０トル以上の圧力で行われる、請求項１に記載の方法。
【請求項３】
前記融除が、約７６０トルの圧力で行われる、請求項２に記載の方法。
【請求項４】
前記コア材料の平均直径が約０．５μｍ〜約１ｍｍである、請求項２に記載の方法。
【請求項５】
前記融除された粒子状ターゲット材料で前記コア材料を被覆することにより、コア材料上に厚さ約１０００ｎｍ未満のターゲット材料被覆が形成される、請求項１に記載の方法。
【請求項６】
前記コア材料上の前記被覆の厚さが約１００ｎｍ未満である、請求項５に記載の方法。
【請求項７】
前記コア材料上の前記被覆の厚さが約１０ｎｍ未満である、請求項６に記載の方法。
【請求項８】
前記融除された粒子状ターゲット材料で前記コア材料を被覆することにより、平均直径が約１ｍｍ未満である被覆された粒子が形成される、請求項１に記載の方法。
【請求項９】
前記被覆された粒子の平均直径が約１００μｍ未満である、請求項８に記載の方法。
【請求項１０】
前記被覆された粒子の平均直径が約１０μｍ未満である、請求項９に記載の方法。
【請求項１１】
前記ターゲット材料が、生物分解性重合体、生物相容性重合体、多糖、およびタンパク質の少なくとも１種を含んでなる、請求項１に記載の方法。
【請求項１２】
前記融除が、高エネルギー供給源を使用して達成される、請求項１に記載の方法。
【請求項１３】
前記高エネルギー供給源が、イオンレーザー、ダイオード列レーザー、およびパルスエキシマーレーザーから選択される、請求項１２に記載の方法。
【請求項１４】
流動化を利用してコア材料を融除された粒子状材料と混合することにより、前記融除された粒子状ターゲット材料で前記コア材料を被覆する、請求項１に記載の方法。
【請求項１５】
前記流動化が空気流動化により行われる、請求項１４に記載の方法。
【請求項１６】
前記コア材料が、人間または動物用の医薬、農薬、除草剤、殺真菌剤、化粧品、塗料または顔料、および不活性粒子の少なくとも１種を含んでなる、請求項１に記載の方法。
【請求項１７】
前記コア材料が、少なくとも１種の人間または動物用の医薬を含んでなる、請求項１６に記載の方法。
【請求項１８】
コア材料上へのターゲット材料の前記被覆により、連続的な被覆が形成される、請求項５に記載の方法。
【請求項１９】
コア材料上へのターゲット材料の前記被覆により、不連続的な被覆が形成される、請求項５に記載の方法。
【請求項２０】
請求項１に記載の方法により形成された被覆された粒子。
【請求項２１】
ターゲット材料およびコア材料を用意し、
前記ターゲット材料を融除し、融除された粒子状ターゲット材料を形成し、および
前記融除された粒子状ターゲット材料で前記コア材料を被覆することを含んでなり、
空気流動化を使用して前記コア材料を流動化させるものである、粒子を約１００ｎｍ未満の被覆厚に被覆する方法。
【請求項２２】
ターゲット材料およびコア材料を用意し、
前記ターゲット材料を融除し、融除された粒子状ターゲット材料を形成し、および
前記融除された粒子状ターゲット材料で前記コア材料を被覆することを含んでなり、
約７６０トルの圧力で行われてなり、かつ、空気流動化を使用して前記コア材料を流動化させるものである、コア材料を被覆する方法。
【請求項２３】
ターゲット材料を内部に収容してなる被覆室と、及び
該被覆室が透明な窓を備えてなるものであり
前記被覆室の外側にあるターゲット蒸発供給源とを備えてなる、被覆装置
【請求項２４】
前記ターゲット蒸発供給源が前記窓側に向けられて成る、請求項２３に記載の被覆装置。
【請求項２５】
前記ターゲット蒸発供給源が前記ターゲット材料に向けられて成る、請求項２４に記載の被覆装置。
【請求項２６】
前記ターゲット蒸発供給源がレーザーである、請求項２３に記載の被覆装置。
【請求項２７】
前記ターゲット蒸発供給源がパルス状のレーザーである、請求項２６に記載の被覆装置。
【請求項２８】
前記ターゲット材料が前記ターゲット蒸発供給源よりも高い位置に配置されてなる、請求項２３に記載の被覆装置。
【請求項２９】
前記ターゲット材料が前記ターゲット蒸発供給源よりも低い位置に配置されてなる、請求項２３に記載の被覆装置。
【請求項３０】
前記ターゲット材料がマトリックスターゲットである、請求項２３に記載の被覆装置。
【請求項３１】
前記窓が必要に応じて石英窓である、請求項２３に記載の被覆装置。
【請求項３２】
排気部をさらに備えてなる、請求項２３に記載の被覆装置。
【請求項３３】
ガス分配装置をさらに備えてなる、請求項３２に記載の被覆装置。
【請求項３４】
機械的攪拌機をさらに備えてなる、請求項２３に記載の被覆装置。
【請求項３５】
前記機械的攪拌機が回転攪拌機である、請求項３４に記載の被覆装置。
【請求項３６】
前記機械的攪拌機が振動攪拌機である、請求項３４に記載の被覆装置。
【請求項３７】
温度制御装置をさらに備えてなる、請求項２３に記載の被覆装置。
【請求項３８】
前記被覆室の内側が、前記被覆室の外側と圧力的な関係を有するものである、請求項２３に記載の被覆装置。
【請求項３９】
前記被覆室が、不活性ガスで充填されてなる、請求項２３に記載の被覆装置。
【請求項４０】
前記不活性ガスが、ヘリウム、アルゴン及び窒素から選択されてなるものである、請求項３９に記載の被覆装置。
【請求項４１】
前記被覆室が、反応性ガスで充填されてなる、請求項２３に記載の被覆装置。
【請求項４２】
前記反応性ガスが、酸素、アンモニア及び亜酸化窒素から選択されてなるものである、請求項４１に記載の被覆装置。
【請求項４３】
ターゲット材料を内部に収容してなる被覆室と、
該被覆室が透明な窓を備えてなるものであり
前記被覆室の外側にあるターゲット蒸発供給原と、及び
第１流動化装置とを備えてなる、被覆装置
【請求項４４】
前記第１流動化装置が、空気流動化装置である、請求項４３に記載の被覆装置。
【請求項４５】
前記第１流動化装置が、ガス分配装置と、フィルタ機構とを備えてなるものである、請求項４４に記載の被覆装置。
【請求項４６】
前記第１流動化装置が、機械的流動化装置である、請求項４３に記載の被覆装置。
【請求項４７】
前記機械的流動化装置が、機械的振動装置を備えてなる、請求項４３に記載の被覆装置。
【請求項４８】
第２流動化装置をさらに備えてなる、請求項４３に記載の被覆装置。
【請求項４９】
前記第１流動化装置が空気流動化装置であり、前記第２流動化装置が機械的流動化装置である、請求項４８に記載の被覆装置。
【請求項５０】
前記第１流動化装置及び前記第２流動化装置が空気流動化装置である、請求項４８に記載の被覆装置。
【請求項５１】
前記被覆室が供給装置を含んでなる、請求項４３に記載の被覆装置。
【請求項５２】
前記被覆室が出口部を含んでなる、請求項４３に記載の被覆装置。
【請求項５３】
前記被覆室が供給装置と、出口部とを含んでなる、請求項４３に記載の被覆装置。
【請求項５４】
前記被覆室の内側が、前記被覆室の外側と圧力的な関係を有するものである、請求項４３に記載の被覆装置。
【請求項５５】
前記供給装置が、被覆又は再被覆された粒子を導入するものであり、かつ、前記出口部が被覆された粒子の排出口である、請求項５３に記載の被覆装置。
【請求項５６】
前記被覆室が、不活性ガスで充填されてなる、請求項４３に記載の被覆装置。
【請求項５７】
前記不活性ガスが、ヘリウム、アルゴン及び窒素から選択されてなるものである、請求項５６に記載の被覆装置。
【請求項５８】
前記被覆室が、反応性ガスで充填されてなる、請求項４３に記載の被覆装置。
【請求項５９】
前記反応性ガスが、酸素、アンモニア及び亜酸化窒素から選択されてなるものである、請求項５８に記載の被覆装置。